(57)【特許請求の範囲】
【請求項１】
屋根構体と客室とを区画する天井板と、車両左右方向の中央付近において前記屋根構体の下方に前記天井板と連結する左右一対の仕切板と、両仕切板の間に形成される中央空間内に収容される横流ファンと、当該横流ファンの下方で前記天井板に形成された開口部に締結具によって着脱可能に装着される整風板とを備えた鉄道車両の天井構造であって、
前記整風板には、当該整風板の上端部が車両前後方向に設置された他の整風板の下端部より下方へ移動したとき、前記開口部に形成された受け部と当接する落下止め部材を備え、当該落下止め部材は、前記受け部と当接した状態で、当該整風板を車両前後方向へ移動させることによって前記受け部との当接状態が解除されることを特徴とする鉄道車両の天井構造。
【請求項２】
請求項１に記載された鉄道車両の天井構造において、
前記落下止め部材には、前記締結具を弛めた位置で前記受け部と当接する第１の当接部と、前記整風板の上端部が前記他の整風板の下端部より下方へ移動した位置で前記受け部と当接する第２の当接部とを備えていることを特徴とする鉄道車両の天井構造。
【請求項３】
請求項２に記載された鉄道車両の天井構造において、
前記落下止め部材は、板バネ鋼が上下方向で略Σ字状断面に形成され、前記略Σ字状断面の縦壁におけるＶ字状屈曲部が前記第１の当接部を構成し、前記略Σ字状断面の上水平部が前記第２の当接部を構成することを特徴とする鉄道車両の天井構造。
【請求項４】
請求項１乃至請求項３のいずれか１項に記載された鉄道車両の天井構造において、
前記落下止め部材は、前記整風板の前端近傍及び後端近傍における左右の枠体上部に装着され、前記受け部は、各落下止め部材に対応する位置に形成されていることを特徴とする鉄道車両の天井構造。
【発明の詳細な説明】
【技術分野】
【０００１】
本発明は、鉄道車両の天井構造に関し、特に、天井板の開口部に着脱可能に装着される整風板の落下止め構造に関する。
【背景技術】
【０００２】
例えば、図９に示すように、従来の鉄道車両１００の天井構造は、屋根構体１０１と客室Ｓとを区画する天井板１０２と、車両中央付近において屋根構体１０１と天井板１０２とを連結する左右一対の仕切板１０３と、両仕切板の間に形成される中央空間１０４内に収容される横流ファン１０５と、横流ファン１０５の下方で天井板１０２に形成された開口部１０２ａに装着される整風板１０６とを備えている（特許文献１を参照）。
【０００３】
上記整風板１０６は、例えば、車両前後方向の長さが１５００ｍｍ程度で、重量が５〜７ｋｇ程度であるので、横流ファン１０５のメンテナンスの際や整風板１０６の洗浄作業等の際に安全に取り外しできるように、天井板１０２の開口部１０２ａに一端部が係止されつつ、着脱可能に装着されている。具体的には、整風板１０６の一端部が、天井板１０２の開口部１０２ａの左右方向の一端部にヒンジ１０７によって回動可能に取付けられ、整風板１０６の他端部が、天井板１０２の開口部１０２ａの左右方向の他端部に締結具１０８（例えば、ネジ）で固定されている。
【先行技術文献】
【特許文献】
【０００４】
【特許文献１】特開２０１５−６１７７７号公報
【発明の概要】
【発明が解決しようとする課題】
【０００５】
しかしながら、上記鉄道車両１００の天井構造では、横流ファン１０５のメンテナンス等のために整風板１０６を取り外すとき、ヒンジ１０７を支点に整風板１０６の他端部（締結具側）が垂直下方に垂れ下がる構造である。そのため、整風板１０６の下方ににぎり棒や吊り輪等が設置されている場合、整風板１０６を取り外す際に垂直下方に垂れ下がる整風板１０６とにぎり棒や吊り輪等とが、干渉する恐れがあった。したがって、上記干渉を避けるべく、整風板１０６及び横流ファン１０５は、にぎり棒や吊り輪等を避けた位置にしか設置できないという問題があった。例えば、地下鉄等に使用する通常の鉄道車両では、整風板１０６及び横流ファン１０５を車両前後方向に所定の間隔を置いて数台（例えば、３台程度）しか設置できなかった。
【０００６】
一方、横流ファン１０５は、空調装置が稼働している時期は、天井板１０２に形成された冷風吹き出し口から出る冷風を客室Ｓに均一に行き渡らせることで冷房効果を高める機能を果たしている。そのため、整風板１０６及び横流ファン１０５を車両前後方向に所定の間隔を置いて数台（例えば、３台程度）しか設置できない場合、所望の冷房効果を得るために、横流ファン１０５のファン回転数を高め、整風板１０６から送風される風速を速くする必要があった。ところが、整風板１０６から送風される風速を速くすると、その真下にいる乗客には不快を感じさせることがあり、客室環境を向上させる上で、整風板１０６及び横流ファン１０５を車両前後方向に連続的に設置してほしいという要望が高まってきた。整風板１０６及び横流ファン１０５を車両前後方向に連続的に設置することによって、整風板１０６から送風される風速を速くすることなく、冷風吹き出し口から出る冷風を客室Ｓに均一に行き渡らせることができるからである。
【０００７】
本発明は、かかる問題及び要望を解決するためになされたものであり、鉄道車両の天井板に設置されているにぎり棒や吊り輪等と干渉することなく車両前後方向に連続的に設置でき、安全かつ簡単に着脱できる横流ファンの整風板を備えた鉄道車両の天井構造を提供することを目的とする。
【課題を解決するための手段】
【０００８】
上記目的を達成するため、本発明に係る鉄道車両の天井構造は、以下の構成を備えている。
（１）屋根構体と客室とを区画する天井板と、車両左右方向の中央付近において前記屋根構体の下方に前記天井板と連結する左右一対の仕切板と、両仕切板の間に形成される中央空間内に収容される横流ファンと、当該横流ファンの下方で前記天井板に形成された開口部に締結具によって着脱可能に装着される整風板とを備えた鉄道車両の天井構造であって、
前記整風板には、当該整風板の上端部が車両前後方向に設置された他の整風板の下端部より下方へ移動したとき、前記開口部に形成された受け部と当接する落下止め部材を備え、当該落下止め部材は、前記受け部と当接した状態で、当該整風板を車両前後方向へ移動させることによって前記受け部との当接状態が解除されることを特徴とする。
【０００９】
本発明においては、整風板には、当該整風板の上端部が車両前後方向に設置された他の整風板の下端部より下方へ移動したとき、開口部に形成された受け部と当接する落下止め部材を備えるので、締結具を弛めて整風板を開口部から外したときには、整風板の上端部が車両前後方向に設置された他の整風板の下端部より下方へ移動した位置で、落下止め部材と受け部とが当接することによって、整風板の更なる下方への移動（落下）を防止させることができる。そのため、整風板を開口部から安全に外し、外した整風板の上端部が車両前後方向に設置された他の整風板の下端部より下方へ移動した位置で、整風板を保持することができる。
また、当該落下止め部材は、受け部と当接した状態で、当該整風板を車両前後方向へ移動させることによって受け部との当接状態が解除されるので、取り外す整風板の下方に、にぎり棒や吊り輪等が設置されていても、当該にぎり棒や吊り輪等との干渉を回避できる位置まで整風板を車両前後方向に移動させるだけで、落下止め部材と受け部との当接状態を解除して、整風板を更に下方へ移動させることができる。そのため、整風板の下方にも、にぎり棒や吊り輪等が設置でき、整風板を車両前後方向に連続的に設置できる。
よって、本発明によれば、鉄道車両の天井板に設置されているにぎり棒や吊り輪等と干渉することなく車両前後方向に連続的に設置でき、安全かつ簡単に着脱できる横流ファンの整風板を備えた鉄道車両の天井構造を提供することができる。
【００１０】
（２）（１）に記載された鉄道車両の天井構造において、
前記落下止め部材には、前記締結具を弛めた位置で前記受け部と当接する第１の当接部と、前記整風板の上端部が前記他の整風板の下端部より下方へ移動した位置で前記受け部と当接する第２の当接部とを備えていることを特徴とする。
【００１１】
本発明においては、落下止め部材には、締結具を弛めた位置で受け部と当接する第１の当接部と、整風板の上端部が他の整風板の下端部より下方へ移動した位置で受け部と当接する第２の当接部とを備えているので、整風板を天井板の開口部に取り付ける際、第１の当接部と受け部とが当接する位置で整風板を保持させ、その保持状態で締結具を締付けることによって、整風板を天井板の開口部に装着させることができる。そのため、整風板の装着作業において、整風板の重量を作業者が支えながら締結具を締付ける必要がなく、作業者の負担を軽減させることができ、安全性も向上する。また、第１の当接部は、締結具を弛めた位置で受け部と当接するので、締結具を締め忘れているとき、又は締結具が弛んでいるときには、整風板が正規の位置より下がった状態となり、その異常を簡単に発見することができる。また、第１の当接部が受け部に当接している状態では、整風板が前後にずれることが無く、受け部から落下止め部材が外れて整風板が落下する虞はない。また、整風板の上端部が他の整風板の下端部より下方へ移動した位置で受け部と当接する第２の当接部とを備えているので、落下止め構造が２重構造となり、より安全性を高めることもできる。なお、第１の当接部と第２の当接部とは、一体に形成されていても、別体に形成されていてもよい。
【００１２】
（３）（２）に記載された鉄道車両の天井構造において、
前記落下止め部材は、板バネ鋼が上下方向で略Σ字状断面に形成され、前記略Σ字状断面の縦壁におけるＶ字状屈曲部が前記第１の当接部を構成し、前記略Σ字状断面の上水平部が前記第２の当接部を構成することを特徴とする。
【００１３】
本発明においては、落下止め部材は、板バネ鋼が上下方向で略Σ字状断面に形成され、略Σ字状断面の縦壁におけるＶ字状屈曲部が第１の当接部を構成し、略Σ字状断面の上水平部が第２の当接部を構成するので、整風板を天井板の開口部から取り外す際、締結具を弛めた上、整風板を下方へ引っ張るだけで、落下止め部材は、第１の当接部が受け部から外れる方向に弾性変形し、第２の当接部と受け部とが当接する方向に復元できる。また、整風板を天井板の開口部に取り付ける際、第２の当接部と受け部とが当接する状態から、整風板を上方へ押し上げるだけで、第１の当接部が受け部を乗り越えて、乗り越えた後に第１の当接部と受け部とが当接する状態にすることができる。そのため、整風板の着脱作業をより一層安全かつ簡単に行うことができる。
【００１４】
（４）（１）乃至（３）のいずれか１つに記載された鉄道車両の天井構造において、
前記落下止め部材は、前記整風板の前端近傍及び後端近傍における左右の枠体上部に装着され、前記受け部は、各落下止め部材に対応する位置に形成されていることを特徴とする。
【００１５】
本発明においては、落下止め部材は、整風板の前端近傍及び後端近傍における左右の枠体上部に装着され、受け部は、各落下止め部材に対応する位置に形成されているので、車両前後方向に長い整風板であっても、落下止め部材と受け部とが当接した時、整風板を略水平状に保持することができる。そのため、整風板の着脱作業をより一層安全かつ簡単に行うことができる。
【発明の効果】
【００１６】
本発明によれば、鉄道車両の天井板に設置されているにぎり棒や吊り輪等と干渉することなく車両前後方向に連続的に設置でき、安全かつ簡単に着脱できる横流ファンの整風板を備えた鉄道車両の天井構造を提供することができる。
【図面の簡単な説明】
【００１７】
【図１】本発明の実施形態に係る鉄道車両の天井構造を示す車両上部横断面図である。
【図２】図１に示す鉄道車両の天井構造の矢印Ｒ方向から見た平面図である。
【図３】図１に示す整風板の取り付け状態を示す詳細横断面図である。
【図４】図３に示す整風板の取り外し状態（第１の当接部と受け部とが当接した状態）の詳細横断面図である。
【図５】図３に示す整風板の取り外し状態（第２の当接部と受け部とが当接した状態）の詳細横断面図である。
【図６】図１に示す整風板の取り付け状態を示す詳細縦断面図である。
【図７】図１に示す整風板を取り外す手順を表す縦断面図である。（Ａ）は整風板の固着状態を示し、（Ｂ）は締結具を弛めた状態を示し、（Ｃ）は整風板を下方へ引き下げた状態を示し、（Ｄ）は整風板を車両前後方向へ移動させた状態を示し、（Ｅ）は整風板を更に下方へ移動させた状態を示す。
【図８】図１に示す整風板の落下止め部材の変形例であって、これを取り外す手順を表す縦断面図である。（Ａ）は整風板の固着状態を示し、（Ｂ）は締結具を弛めた状態を示し、（Ｃ）は整風板を下方へ引き下げた状態を示し、（Ｄ）は整風板を車両前後方向へ移動させた状態を示し、（Ｅ）は整風板を更に下方へ移動させた状態を示す。
【図９】従来の鉄道車両の天井構造を示す横断面図である。
【発明を実施するための形態】
【００１８】
次に、本発明の実施形態に係る鉄道車両の天井構造について、図面を参照しながら詳細に説明する。はじめに、本実施形態に係る鉄道車両の天井構造における全体構成を説明し、その後、鉄道車両の天井構造における整風板の着脱方法について説明する。
【００１９】
＜鉄道車両の天井構造における全体構成＞
まず、本実施形態に係る鉄道車両の天井構造における全体構成について、図１〜図６を用いて説明する。図１に、本発明の実施形態に係る鉄道車両の天井構造を示す車両上部横断面図を示す。図２に、図１に示す鉄道車両の天井構造の矢印Ｒ方向から見た平面図を示す。図３に、図１に示す整風板の取り付け状態を示す詳細横断面を示す。図４に、図３に示す整風板の取り外し状態（第１の当接部と受け部とが当接した状態）の詳細横断面図を示す。図５に、図３に示す整風板の取り外し状態（第２の当接部と受け部とが当接した状態）の詳細横断面図を示す。図６に、図１に示す整風板の取り付け状態を示す詳細縦断面図を示す。なお、図１〜図６には、鉄道車両における上下、左右、前後の方向を示すが、左右方向は、枕木方向を示し、前後方向はレール方向を示す。他の図面も、同様である。
【００２０】
図１〜図６に示すように、本実施形態に係る鉄道車両１０の天井構造には、屋根構体１と客室Ｓとを区画する天井板２と、車両左右方向の中央付近において屋根構体１の下方に前記天井板２と連結する左右一対の仕切板３と、両仕切板の間に形成される中央空間４内に収容される横流ファン５と、当該横流ファン５の下方で天井板２に形成された開口部２１に締結具８１によって着脱可能に装着される整風板６とを備えている。横流ファン５は、送風口５１が軸中心に円周方向（矢印Ｐ方向）に所定の角度だけ揺動して、筒状ファン５２から送る横風の角度を変化させながら送風する装置である。整風板６は、スピーカ２５の取付板２６を挟んで、車両前後方向に連続的に配置されている。整風板６は、長方形の枠体６３内に車両前後方向に延設された複数個の傾斜フィン６４が車両左右方向に隙間をあけて形成された長方形体である。締結具８１は、開口部２１に固設されたナット８２と係合する押しネジであって、整風板６の枠体６３における左右端部に複数個係装されている。
【００２１】
また、天井板２には、空調装置（図示しない）に接続され冷風を客室Ｓ内に吹き出す冷風吹き出し口２３が、整風板６の左右外方に離間して設置されている。冷風吹き出し口２３は、車両前後方向に連続的に配置されている。また、天井板２には、冷風吹き出し口２３の左右外方に隣接して蛍光灯２４が設置されている。蛍光灯２４は、車両前後方向に連続的に配置されている。
【００２２】
また、天井板２には、前後の蛍光灯２４の隙間から垂下された支持体９３に水平状に支持されたにぎり棒９１が設置されている。にぎり棒９１には、冷風吹き出し口２３の下方で車両前後方向に延設されたものと、整風板６の下方で車両左右方向に延設されたものとがある。車両左右方向に延設されたにぎり棒９１は、車両前後方向に延設されたにぎり棒９１より天井板２に近接した位置にあり、乗降ドアの周辺付近に配置されている。各にぎり棒９１には、吊り輪９２が垂下されている。また、天井板２には、整風板６の下方で車両左右方向に延設された広告吊り具９４が設置されている。
【００２３】
また、整風板６には、当該整風板６の上端部６１が車両前後方向に設置された他の整風板６Ｂの下端部６２Ｂより僅かに下方へ移動したとき、開口部２１に形成された受け部２２と当接する落下止め部材７を備えている。受け部２２は、車両前後方向の長さが落下止め部材７の車両前後方向の長さと略同程度の矩形状の板状体であって、開口部２１の車両左右方向端部から内方へ突設されている。また、落下止め部材７は、受け部２２と当接した状態で、整風板６を車両前後方向へ移動させることによって受け部２２との当接状態が解除されるように形成されている。
【００２４】
また、落下止め部材７には、締結具８１を弛めた位置で受け部２２と当接する第１の当接部７１と、整風板６の上端部６１が他の整風板６Ｂの下端部６２Ｂより僅かに下方へ移動した位置で受け部２２と当接する第２の当接部７２とを備えている。また、落下止め部材７は、板バネ鋼が上下方向で略Σ字状断面に形成され、略Σ字状断面の縦壁７４におけるＶ字状屈曲部が第１の当接部７１を構成し、略Σ字状断面の上水平部が第２の当接部７２を構成する。落下止め部材７は、略Σ字状断面の下水平部が整風板６への締結部７３を構成する。締結部７３は、整風板６の左右の枠体６３にネジ８３で固着されている。また、落下止め部材７（７ａ、７ｂ）は、整風板６の前端６ａ近傍及び後端６ｂ近傍における左右の枠体６３に装着されている。なお、天井板２の開口部２１には、前側の落下止め部材７ａに対応する位置に前側の受け部２２ａが形成され、後側の落下止め部材７ｂに対応する位置に後側の受け部２２ｂが形成されている。
【００２５】
＜整風板の着脱方法＞
次に、本鉄道車両の天井構造における整風板の着脱方法について、図７を用いて説明する。図７に、図１に示す整風板を取り外す手順を表す縦断面図を示す。（Ａ）は整風板の固着状態を示し、（Ｂ）は締結具を弛めた状態を示し、（Ｃ）は整風板を下方へ引き下げた状態を示し、（Ｄ）は整風板を車両前後方向へ移動させた状態を示し、（Ｅ）は整風板を更に下方へ移動させた状態を示す。なお、図７では、図２に示すスピーカ２５の取付板２６は省略している。
【００２６】
図７（Ａ）に示すように、整風板６（６Ｂ）の固着状態においては、整風板６（６Ｂ）は、天井板２の開口部２１に締結具８１によってそれぞれ締結されている。整風板６（６Ｂ）は、車両前後方向に連続的に配置され、各整風板６（６Ｂ）の下端部６２（６２Ｂ）は、略同一の高さに保持されている。このとき、落下止め部材７は、受け部２２と当接していない（図３を参照）。
【００２７】
次に、図７（Ｂ）に示すように、取り外す整風板６の締結具８１のみを弛めると、当該整風板６は、下方（矢印Ｆ１の方向）に移動し、その下端部６２と隣接する他の整風板６Ｂの下端部６２Ｂとの間に段差ｄ１が発生する。このとき、当該整風板６の落下止め部材７の第１の当接部７１が受け部２２と当接する（図４を参照）。落下止め部材７の第１の当接部７１と受け部２２とが当接することによって、当該整風板６は、作業者が保持しなくても、隣接する他の整風板６Ｂとの間で段差ｄ１が生じた状態で、自動的に保持される。なお、締結具８１が自然と弛んだとき、又は、締結具８１を閉め忘れたときにも、この状態で保持される。また、第１の当接部７１が受け部２２に当接している状態では、整風板６が前後にずれることが無く、受け部２２から落下止め部材７が外れて整風板６が落下する虞はない。
【００２８】
次に、図７（Ｃ）に示すように、落下止め部材７の第１の当接部７１が受け部２２と当接する状態から、落下止め部材７の第２の当接部７２が受け部２２と当接する位置まで、当該整風板６を下方（矢印Ｆ２の方向）に移動させる（図５を参照）。このとき、弾性部材である落下止め部材７は、第１の当接部７１が受け部２２から外れる方向に弾性変形し、第２の当接部７２と受け部２２とが当接する方向に復元する。その結果、当該整風板６の上端部６１は、隣接する他の整風板６Ｂの下端部６２Ｂより僅かに下方に移動し、整風板６の上端部６１と他の整風板６Ｂの下端部６２Ｂとの間には、略一定の隙間ｄ２が確保される。
【００２９】
次に、図７（Ｄ）に示すように、落下止め部材７の第２の当接部７２が受け部２２と当接する状態で、当該整風板６を車両前後方向（矢印Ｆ３の方向）へ移動させることによって、第２の当接部７２と受け部２２との当接状態を解除させる。当該整風板６を車両前後方向（矢印Ｆ３の方向）へ移動させる移動量は、当該整風板６の下方ににぎり棒９１等の干渉物がある場合には、当該整風板６を更に下方へ移動させるとき、その干渉物と干渉しない位置まで移動させる距離が好ましい。
【００３０】
次に、図７（Ｅ）に示すように、落下止め部材７の第２の当接部７２と受け部２２との当接状態を解除させた上で、当該整風板６の下方ににぎり棒９１等の干渉物がある場合には、当該整風板６をその干渉物と干渉しない位置まで移動させた上で、当該整風板６を更に下方（矢印Ｆ４の方向）へ移動させる。以上の手順によって、整風板６を、安全かつ簡単に取り外すことができる。なお、整風板６を天井板２の開口部２１に装着するときには、上述した手順と逆の手順で行えばよい。
【００３１】
＜作用効果＞
以上、詳細に説明した本実施形態に係る鉄道車両１０の天井構造によれば、整風板６には、当該整風板６の上端部６１が車両前後方向に設置された他の整風板６Ｂの下端部６２Ｂより僅かに下方へ移動したとき、開口部２１に形成された受け部２２と当接する落下止め部材７を備えるので、締結具８１を弛めて整風板６を開口部２１から外したときには、整風板６の上端部６１が車両前後方向に設置された他の整風板６Ｂの下端部６２Ｂより僅かに下方へ移動した位置で、落下止め部材７と受け部２２とが当接することによって、整風板６の更なる下方への移動（落下）を防止させることができる。そのため、整風板６を開口部２１から安全に外し、外した整風板６の上端部６１が車両前後方向に設置された他の整風板６Ｂの下端部６２Ｂより僅かに下方へ移動した位置で、整風板６を一時的に保持することができる。
【００３２】
また、当該落下止め部材７は、受け部２２と当接した状態で、当該整風板６を車両前後方向へ移動させることによって受け部２２との当接状態が解除されるので、取り外す整風板６の下方に、にぎり棒９１や吊り輪９２等が設置されていても、当該にぎり棒９１や吊り輪９２等との干渉を回避できる位置まで整風板６を車両前後方向に移動させるだけで、落下止め部材７と受け部２２との当接状態を解除して、整風板６を更に下方へ移動させることができる。そのため、整風板６の下方にも、にぎり棒９１や吊り輪９２等が設置でき、整風板６を車両前後方向に連続的に設置できる。
【００３３】
よって、本実施形態によれば、鉄道車両１０の天井板２に設置されているにぎり棒９１や吊り輪９２等と干渉することなく車両前後方向に連続的に設置でき、安全かつ簡単に着脱できる横流ファン５の整風板６を備えた鉄道車両１０の天井構造を提供することができる。
【００３４】
また、本実施形態によれば、落下止め部材７には、締結具８１を弛めた位置で受け部２２と当接する第１の当接部７１と、整風板６の上端部６１が他の整風板６Ｂの下端部６２Ｂより僅かに下方へ移動した位置で受け部２２と当接する第２の当接部７２とを備えているので、整風板６を天井板２の開口部２１に取り付ける際、第１の当接部７１と受け部２２とが当接する位置で整風板６を一時的に保持させ、その保持状態で締結具８１を締付けることによって、整風板６を天井板２の開口部２１に固着させることができる。そのため、整風板６の装着作業において、整風板６の重量を作業者が支えながら締結具８１を締付ける必要がなく、作業者の負担を軽減させることができ、安全性も向上する。また、第１の当接部７１は、締結具８１を弛めた位置で受け部２２と当接するので、締結具８１を締め忘れているとき、又は締結具８１が弛んでいるときには、整風板６が正規の位置より下がった状態となり、その異常を簡単に発見することができる。また、第１の当接部７１が受け部２２に当接している状態では、整風板６が前後にずれることが無く、受け部２２から落下止め部材７が外れて整風板６が落下する虞はない。また、整風板６の上端部６１が他の整風板６Ｂの下端部６２Ｂより僅かに下方へ移動した位置で受け部２２と当接する第２の当接部７２とを備えているので、整風板６の落下止め構造が２重構造となり、より安全性を高めることもできる。なお、第１の当接部７１と第２の当接部７２とは、一体に形成されていても、別体に形成されていてもよい。
【００３５】
また、本実施形態によれば、落下止め部材７は、板バネ鋼が上下方向で略Σ字状断面に形成され、略Σ字状断面の縦壁におけるＶ字状屈曲部が第１の当接部７１を構成し、略Σ字状断面の上水平部が第２の当接部７２を構成するので、整風板６を天井板２の開口部２１から取り外す際、締結具８１を弛めた上、整風板６を下方へ引っ張るだけで、落下止め部材７は、第１の当接部７１が受け部２２から外れる方向に弾性変形し、第２の当接部７２と受け部２２とが当接する方向に復元できる。また、整風板６を天井板２の開口部２１に取り付ける際、第２の当接部７２と受け部２２とが当接する状態から、整風板６を上方へ押し上げるだけで、第１の当接部７１が受け部２２を乗り越えて、乗り越えた後に第１の当接部７１と受け部２２とが当接する状態にすることができる。そのため、整風板６の着脱作業をより一層安全かつ簡単に行うことができる。
【００３６】
また、本実施形態によれば、落下止め部材７（７ａ、７ｂ）は、整風板６の前端６ａ近傍及び後端６ｂ近傍における左右の枠体６３上部に装着され、受け部２２（２２ａ、２２ｂ）は、各落下止め部材７（７ａ、７ｂ）に対応する位置に形成されているので、車両前後方向に長い整風板６であっても、落下止め部材７（７ａ、７ｂ）と受け部２２（２２ａ、２２ｂ）とが当接した時、整風板６を略水平状に保持することができる。そのため、整風板６の着脱作業をより一層安全かつ簡単に行うことができる。
【００３７】
＜変形例＞
以上、本実施形態の鉄道車両１０の天井構造を詳細に説明したが、本発明はこれに限定されることなく、その趣旨を逸脱しない範囲で様々な変更が可能である。
【００３８】
例えば、本実施形態では、落下止め部材７は、板バネ鋼が上下方向で略Σ字状断面に形成され、略Σ字状断面の縦壁７４におけるＶ字状屈曲部が第１の当接部７１を構成し、略Σ字状断面の上水平部が第２の当接部７２を構成するが、必ずしもこれに限る必要はない。例えば、Ｖ字状屈曲部が第１の当接部７１を構成する第１の落下止め部材と、上水平部が第２の当接部７２を構成する第２の落下止め部材とを、別々に形成してもよい。この場合、第１の落下止め部材のみ、板バネ鋼で形成すればよい。
【００３９】
また、本実施形態では、落下止め部材７（７ａ、７ｂ）は、整風板６の前端６ａ近傍及び後端６ｂ近傍における左右の枠体６３上部に装着され、受け部２２（２２ａ、２２ｂ）は、各落下止め部材７（７ａ、７ｂ）に対応する位置に形成されているが、必ずしもこれに限る必要はない。例えば、図８に示すように、例えば、落下止め部材７Ｂは、整風板６の前端近傍及び後端近傍における前後の枠体上部に装着され、受け部２２Ｂは、各落下止め部材７Ｂに対応する位置に形成してもよい。この場合においても、図８（Ａ）〜（Ｅ）に示す手順（本実施形態の手順と同様）によって、整風板６を安全かつ簡単に着脱させることができる。
【符号の説明】
【００４０】
１                屋根構体
２                天井板
３                仕切板
４                中央空間
５                横流ファン
６、６Ｂ          整風板
６ａ              前端
６ｂ              後端
７、７ａ、７ｂ    落下止め部材
１０              鉄道車両
２１              開口部
２２              受け部
２２ａ、２２ｂ    受け部
６１              上端部
６２、６２Ｂ      下端部
７１              第１の当接部
７２              第２の当接部
７４              縦壁
８１              締結具
Ｓ                客室
【要約】
【課題】鉄道車両の天井板に設置されているにぎり棒や吊り輪等と干渉することなく車両前後方向に連続的に設置でき、安全かつ簡単に着脱できる横流ファンの整風板を備えた鉄道車両の天井構造を提供する。
【解決手段】屋根構体１と客室Ｓとを区画する天井板２と、車両左右方向の中央付近において屋根構体と天井板とを連結する左右一対の仕切板３と、両仕切板間に形成される中央空間４内に収容される横流ファン５と、横流ファンの下方で天井板に形成された開口部２１に締結具８１によって着脱可能に装着される整風板６とを備えた鉄道車両の天井構造である。整風板には、その上端部６１が車両前後方向に設置された他の整風板６Ｂの下端部６２Ｂより下方へ移動したとき、開口部２１に形成された受け部２２と当接する落下止め部材７を備え、落下止め部材は、受け部と当接した状態で、整風板を車両前後方向へ移動させることによって受け部との当接状態が解除される。
【選択図】  図１【図１】
0005956702.tif 000002
【図２】
0005956702.tif 000003
【図３】
0005956702.tif 000004
【図４】
0005956702.tif 000005
【図５】
0005956702.tif 000006
【図６】
0005956702.tif 000007
【図７】
0005956702.tif 000008
【図８】
0005956702.tif 000009
【図９】
0005956702.tif 000010